(57)【特許請求の範囲】
【請求項１】
円周の一部の角度範囲でのみ回動可能に設けられた往復指針と、
ユーザの操作を受け付ける操作受付手段と、
当該往復指針の動作に係る情報を取得し、当該情報に基づいて定められる前記往復指針の移動先が前記角度範囲外となる場合には、前記往復指針に所定の報知動作を行わせる動作制御手段と、
を備え、
前記動作制御手段は、前記往復指針を前記角度範囲外へ移動させる要求に係る操作の受け付け情報が取得された場合には、前記報知動作を前記往復指針に行わせる
ことを特徴とする電子時計。
【請求項２】
前記動作制御手段は、前記受け付け情報の取得頻度及び連続回数のうち少なくとも一方に応じて前記報知動作における報知量を定めることを特徴とする請求項１記載の電子時計。
【請求項３】
前記動作制御手段は、前記報知動作において、前記情報に応じた前記往復指針の移動により前記角度範囲から外れる側の端位置を示す動作を前記往復指針に行わせることを特徴とする請求項１又は２記載の電子時計。
【請求項４】
前記動作制御手段は、前記報知動作の終了後に、前記情報に応じた前記往復指針の移動により前記角度範囲から外れる側の端位置で前記往復指針を停止させることを特徴とする請求項１〜３の何れか一項に記載の電子時計。
【請求項５】
前記報知動作には、前記角度範囲から外れる側の前記端位置から当該角度範囲の内側に所定ステップ数前記往復指針を早送り移動させた後に、当該往復指針を前記端位置に早送りで戻す振り戻し動作を含むことを特徴とする請求項３又は４記載の電子時計。
【請求項６】
所定の物理量を計測する計測手段を備え、
前記動作制御手段は、前記計測手段による計測結果に係る情報に基づく表示値に応じて定められる指針位置に前記往復指針を移動させ、前記角度範囲に応じた値域から前記表示値が逸脱する場合には、前記報知動作を前記往復指針に行わせる
ことを特徴とする請求項１〜５の何れか一項に記載の電子時計。
【請求項７】
前記動作制御手段は、前記表示値の前記値域からの逸脱量に応じて前記報知動作における報知量を定めることを特徴とする請求項６記載の電子時計。
【請求項８】
前記報知量は、前記報知動作における前記往復指針の移動幅、前記往復指針の早送り移動速度、及び所定のパターン動作の繰り返し回数の少なくとも一部によって定められる
ことを特徴とする請求項２又は７記載の電子時計。
【請求項９】
円周の一部の角度範囲でのみ回動可能に設けられた往復指針と、ユーザの操作を受け付ける操作受付手段と、を備える電子時計の制御方法であって、
前記往復指針の動作に係る情報を取得する情報取得ステップ、
前記情報に基づいて定められる前記往復指針の移動先が前記角度範囲外となる場合には、前記往復指針に所定の報知動作を行わせる動作制御ステップ、
を含み、
前記動作制御ステップは、前記往復指針を前記角度範囲外へ移動させる要求に係る操作の受け付け情報が取得された場合には、前記報知動作を前記往復指針に行わせる
ことを特徴とする制御方法。
【請求項１０】
円周の一部の角度範囲でのみ回動可能に設けられた往復指針と、ユーザの操作を受け付ける操作受付手段と、を備える電子時計のコンピュータを、
前記往復指針の動作に係る情報を取得し、当該情報に基づいて定められる前記往復指針の移動先が前記角度範囲外となる場合には、前記往復指針に所定の報知動作を行わせる動作制御手段、
として機能させ、
前記動作制御手段は、前記往復指針を前記角度範囲外へ移動させる要求に係る操作の受け付け情報が取得された場合には、前記報知動作を前記往復指針に行わせる
ことを特徴とするプログラム。
【発明の詳細な説明】
【技術分野】
【０００１】
この発明は、指針を用いた表示を行う電子時計、制御方法、及びプログラムに関する。
【背景技術】
【０００２】
従来、指針を用いて日時やその他の各種機能に係る表示を行う指針式の表示装置がある。
このような表示装置において、時計など時刻を表示する指針は、多くの場合、回転動作を行い、周回ごとに１分、１時間や１２時間といった所定の時間の経過を示している。
【０００３】
一方、センサなど計測値の表示を行う指針は、しばしば、限られた角度範囲内で往復運動をするように構成されている。また、時刻を表示する指針であっても、所定の角度範囲のみで動作可能であり、指針が一端に到達すると即座に他端まで逆行して戻されるレトログラード機構と呼ばれる表示技術がある。
【０００４】
また、回転動作する指針の一部の角度範囲のみを露出表示させることで種々の効果を狙った時計がある。特許文献１には、複数の指針の動作範囲を各々一部ずつ露出させて全体として全角度範囲を表示可能とし、各々の指針に同一の指針動作を行わせることで、指針が指示する範囲によって異なる露出部分で表示を行わせることにより視覚効果を生じさせる技術が開示されている。
【先行技術文献】
【特許文献】
【０００５】
【特許文献１】特開２０１２−６８２４５号公報
【発明の概要】
【発明が解決しようとする課題】
【０００６】
一方で、ステッピングモータを用いて電気的に指針を移動させる電子時計では、従来、指針を何れの回転方向にも任意に動作制御可能となっている。しかしながら、指針動作が可能な表示範囲が限られた角度範囲のみで形成されている場合に、当該表示範囲外へ移動させる動作命令が入力されると、単純に指針が振り切れて、このような入力が更に続いてもユーザに認識されないという課題がある。
【０００７】
この発明の目的は、指針の可動範囲からの超過をユーザに知得させることの出来る電子時計、制御方法、及びプログラムを提供することにある。
【課題を解決するための手段】
【０００８】
上記目的を達成するため、本発明は、
円周の一部の角度範囲でのみ回動可能に設けられた往復指針と、
ユーザの操作を受け付ける操作受付手段と、
当該往復指針の動作に係る情報を取得し、当該情報に基づいて定められる前記往復指針
の移動先が前記角度範囲外となる場合には、前記往復指針に所定の報知動作を行わせる動
作制御手段と、
を備え、
前記動作制御手段は、前記往復指針を前記角度範囲外へ移動させる要求に係る操作の受け付け情報が取得された場合には、前記報知動作を前記往復指針に行わせることを特徴とする。
【発明の効果】
【０００９】
本発明に従うと、指針の可動範囲からの超過をユーザに知得させることが出来るという効果がある。
【図面の簡単な説明】
【００１０】
【図１】本発明の実施形態の電子時計を示す正面図である。
【図２】電子時計の機能構成を示すブロック図である。
【図３】本実施形態のアナログ電子時計で実行される高度表示制御処理の制御手順を示すフローチャートである。
【図４】高度表示制御処理で呼び出される指針操作制御処理の制御手順を示すフローチャートである。
【図５】高度表示制御処理で呼び出される計測表示制御処理の制御手順を示すフローチャートである。
【図６】計測表示制御処理で行われる報知動作の例を示す図である。
【発明を実施するための形態】
【００１１】
以下、本発明の実施の形態を図面に基づいて説明する。
図１は、本発明の電子時計の実施形態であるアナログ電子時計１の正面図である。
このアナログ電子時計１は、内部に各構成を収めるケーシング２と、ケーシング２内で一方の面（露出面）が外部に露出される文字盤３と、文字盤３の露出面を覆う図示略の透明部材（風防ガラス）と、文字盤３の略中心を回転軸として文字盤３の略全面に亘って回転動作し、文字盤３の外縁付近に設けられた標識や目盛を指し示す３本の時刻指針６１〜６３と、文字盤３の６時位置に設けられた小窓４及び小窓４の内部で回転動作する機能指針６４（往復指針）と、ケーシング２における文字盤３の露出面側に対して側面側に設けられたりゅうず４７１及び押しボタンスイッチ４７２〜４７４などを備える。
【００１２】
時刻指針６１〜６３は、それぞれ、時針６１、分針６２及び秒針６３であり、通常、時刻を表示する場合に、それぞれ、時刻の時、分、秒を指し示す。また、本実施形態のアナログ電子時計１では、秒針６３が各種機能に係る表示や設定に用いられる。
【００１３】
機能指針６４は、略半円状の小窓４の下端付近に回転軸を有し、小窓４の内部で円周３６０度の一部の角度範囲である１２時側（上側）半分の範囲（移動可能角度範囲）のみで回動可能となっている。表示可能な値としては、特には限られないが、例えば、計測部４８の計測値に基づいて得られる高度値が設定範囲内で表示可能とされる。以降、これら時刻指針６１〜６３及び機能指針６４の一部又は全部をまとめて指針６１〜６４などとも記す。
【００１４】
りゅうず４７１は、ユーザからの入力操作を受け付ける。りゅうず４７１は、例えば、ケーシング２から２段階の引き出しが可能であり、１段階又は２段階引き出された状態で回転操作が行われることにより各種設定に係る設定値の変更が可能となる。
押しボタンスイッチ４７２〜４７４は、それぞれユーザの押下操作を受け付ける。
【００１５】
図２は、アナログ電子時計１の内部構成を示すブロック図である。
アナログ電子時計１は、動作制御手段としてのＣＰＵ４１（Central Processing Unit）と、ＲＯＭ４２（Read Only Memory）と、ＲＡＭ４３（Random Access Memory）と、発振回路４４と、分周回路４５と、計時回路４６と、操作受付手段としての操作部４７と、計測手段としての計測部４８と、駆動回路４９と、電源部５０と、上述の時刻指針６１〜６３及び機能指針６４と、輪列機構７１〜７３と、ステッピングモータ８１〜８３などを備える。
【００１６】
ＣＰＵ４１は、各種演算処理を行い、また、アナログ電子時計１の全体動作を統括制御する。ＣＰＵ４１は、日時の表示や計測部４８の計測値の表示に係る指針動作を制御する。
【００１７】
ＲＯＭ４２は、ＣＰＵ４１により実行される各種制御用のプログラム４２１や設定データを格納する。プログラム４２１には、各種機能モードにおける指針６１〜６４の動作制御に係るプログラムが含まれている。
【００１８】
ＲＡＭ４３は、ＣＰＵ４１に作業用のメモリ空間を提供し、一時データを記憶する。ＲＡＭ４３には、また、指針位置を示すデータや、高度表示時に気圧値を高度値に変換する際に用いられるテーブルの補正データ４３１が記憶されている。
【００１９】
発振回路４４は、所定の周波数信号を生成して出力する。発振回路４４は、例えば、水晶発振器を備える。
分周回路４５は、発振回路４４から出力された周波数信号をＣＰＵ４１や計時回路４６により利用される周波数の信号に分周して出力する。出力される周波数は、ＣＰＵ４１からの制御信号により変更可能に設定されていても良い。
【００２０】
計時回路４６は、所定の日時を示す初期値に分周回路４５から入力される分周信号を計数して加算していくことにより現在の日時を計数する。この計時回路４６の計数する日時は、ＣＰＵ４１からの制御信号により修正されることが可能となっている。
【００２１】
操作部４７は、ユーザからの入力操作を受け付ける。操作部４７には、上述のりゅうず４７１及び押しボタンスイッチ４７２〜４７４が含まれる。りゅうず４７１が引き出され、押し戻され、また、回転操作がなされたりした場合や、押しボタンスイッチ４７２〜４７４が押下された場合には、動作種別に応じた電気信号がＣＰＵ４１に出力される。
【００２２】
計測部４８は、所定の空間物理量を計測する。計測部４８としては、特には限られないが、例えば、温度、湿度や気圧を計測することが出来る。温度の摂氏、華氏間での変換や、気圧値の高度値への変換などは、別途、例えばＣＰＵ４１により実行される。
【００２３】
電源部５０は、各部の動作に係る電力を所定電圧で供給する。電源部５０は、バッテリを有し、このバッテリとしては、例えば、ソーラパネルと二次電池との組み合わせが挙げられる。或いは、バッテリとして着脱交換可能なボタン型の乾電池が用いられても良い。また、電源部５０から複数の異なる電圧が出力される場合には、例えば、スイッチング電源などを用いて所望の電圧に変換して出力可能な構成とすることが出来る。
【００２４】
駆動回路４９は、ＣＰＵ４１からの制御信号に従ってステッピングモータ８１〜８３に所定電圧の駆動パルスを出力する。駆動回路４９は、アナログ電子時計１の状態などに応じて駆動パルスの長さ（パルス幅）や振幅（ピーク電圧値）を変更させることが出来る。また、複数の指針を同時に駆動させる制御信号が入力された場合に、負荷を低減させるために僅かに駆動パルスの出力タイミングをずらしたりすることが出来る。
【００２５】
ステッピングモータ８１は、複数の歯車の配列である輪列機構７１を介して時針６１を回転動作させる。ステッピングモータ８１が一回駆動されると、時針６１は、１ステップ１度回転し、ステッピングモータ８１の３６０回の動作により文字盤３上で一周する。
【００２６】
ステッピングモータ８２は、輪列機構７２を介して分針６２及び秒針６３を回転動作させる。輪列機構７２は、分針６２及び秒針６３を連動して回転させる構成であり、秒針６３を６度ずつ回転移動させると共に分針６２を１／１０度ずつ回転移動させる。従って、秒針６３が毎秒１回ずつ回転移動されることで当該秒針６３は１分で文字盤３上を一周し、この間に分針６２は、文字盤３上で６度移動する。即ち、分針６２は、１時間で文字盤３上を一周する。
【００２７】
ステッピングモータ８３は、輪列機構７３を介して機能指針６４を回転動作させる。ステッピングモータ８３が一回駆動されると、機能指針６４が所定角度（例えば、１度）移動する。上述のように、機能指針６４は、１２時側の半分１８０度の範囲でのみ回動可能であり、当該１８０度の範囲で１８０ステップの移動が可能となっている。通常では、ＲＡＭ４３に保持される機能指針６４の位置情報に基づいて、ＣＰＵ４１は、両端から更に先への指針の移動動作を行わせない。また、機能指針６４及び／又は輪列機構７３には、機能指針６４を表示範囲外へ移動させないストッパなどが設けられ、ステッピングモータ８３のロータを空回りさせることとしても良い。
【００２８】
時刻指針６１〜６３及び機能指針６４は、特には限られないが、ここでは、最大１２８ｐｐｓ（pulse per second）で正転方向（時刻が進む方向）及び逆転方向の何れにも回転移動可能となっている。
【００２９】
次に、本実施形態のアナログ電子時計１における機能指針６４の動作について説明する。
本実施形態のアナログ電子時計１では、機能指針６４に対して表示範囲外の移動先への移動要求が取得された場合に、当該移動要求に従った機能指針６４の動作が困難であることを示す報知動作を機能指針６４自身によって行なわせる。アナログ電子時計１は、例えば、表示範囲から外れる側の端位置から内側へ向けて、機能指針６４を所定ステップ数早送りで往復させるパターン動作（振り戻し動作）を１又は複数回行わせることで報知を行う。また、アナログ電子時計１では、表示範囲からの逸脱の度合に応じてこの報知動作の度合（報知量）を変化させる。振り戻し動作後の機能指針６４は、当該振り戻し位置の終了時における端位置で停止される。
以下、計測部４８の気圧センサによる気圧の計測値に基づいて機能指針６４により高度表示を行わせる場合について説明する。
【００３０】
図３は、本実施形態のアナログ電子時計１で実行される高度表示制御処理のＣＰＵ４１による制御手順を示すフローチャートである。
この高度表示制御処理は、押しボタンスイッチ４７２〜４７４のうち所定のものへの入力操作に基づいて手動で起動される。
【００３１】
高度表示制御処理が開始されると、ＣＰＵ４１は、りゅうず４７１の引き出し操作が検出されたか否かを判別する（ステップＳ１０１）。検出されていないと判別された場合には（ステップＳ１０１で“ＮＯ”）、ＣＰＵ４１の処理は、ステップＳ１０６に移行する。
【００３２】
りゅうず４７１の引き出し操作が検出されたと判別された場合には（ステップＳ１０１で“ＹＥＳ”）、ＣＰＵ４１は、りゅうず４７１の押し戻し操作が検出されたか否かを判別する（ステップＳ１０２）。押し戻されていないと判別された場合には（ステップＳ１０２で“ＮＯ”）、ＣＰＵ４１は、りゅうず４７１の回転操作が検出されたか否かを判別する（ステップＳ１０３）。回転操作が検出されていないと判別された場合には（ステップＳ１０３で“ＮＯ”）、ＣＰＵ４１の処理は、ステップＳ１０２に戻る。検出されたと判別された場合には（ステップＳ１０３で“ＹＥＳ”）、ＣＰＵ４１は、後述の指針操作制御処理を呼び出して実行する（ステップＳ１０４）。指針操作制御処理が終了すると、ＣＰＵ４１の処理は、ステップＳ１０２に戻る。
【００３３】
ステップＳ１０２の判別処理で、りゅうず４７１の押し戻し操作が検出されたと判別された場合には（ステップＳ１０２で“ＹＥＳ”）、ＣＰＵ４１は、りゅうず４７１の回転に応じて設定された指針位置に応じて高度の初期値を設定する（ステップＳ１０５）。それから、ＣＰＵ４１の処理は、ステップＳ１０６に移行する。
【００３４】
ステップＳ１０１又はステップＳ１０５の処理からステップＳ１０６の処理に移行すると、ＣＰＵ４１は、計測部４８の気圧センサによる気圧計測を開始させる（ステップＳ１０６）。このとき、ＣＰＵ４１は、計測時間の計数を開始する。ＣＰＵ４１は、所定の計測継続時間が経過したか否かを判別する（ステップＳ１０７）。経過していないと判別された場合には、ＣＰＵ４１は、後述の計測表示制御処理を呼び出して実行する（ステップＳ１０８）。計測表示制御処理が終了すると、ＣＰＵ４１の処理は、ステップＳ１０７に戻る。
【００３５】
計測継続時間が経過したと判別された場合には（ステップＳ１０７で“ＹＥＳ”）、ＣＰＵ４１は、計測部４８の気圧センサによる計測を終了させ（ステップＳ１０９）、高度表示制御処理を終了する。
【００３６】
図４は、ステップＳ１０４の処理で呼び出される指針操作制御処理のＣＰＵ４１による制御手順を示すフローチャートである。
【００３７】
指針操作制御処理が呼び出されると、ＣＰＵ４１は、現在の機能指針６４の位置がりゅうず４７１の回転操作に応じた移動方向側の端位置であるか否かを判別する（ステップＳ１４１）。移動方向側の端位置ではないと判別された場合には（ステップＳ１４１で“ＮＯ”）、ＣＰＵ４１は、りゅうず４７１の回転操作に応じて機能指針６４を移動させる制御信号を駆動回路４９に出力し（ステップＳ１４２）、指針操作制御処理を終了する。
【００３８】
移動方向側の端位置であると判別された場合には（ステップＳ１４１で“ＹＥＳ”）、ＣＰＵ４１は、機能指針６４の移動可能角度範囲外への移動要求に係るりゅうずの操作の検出回数が直近１秒間で１回目であるか否かを判別する（ステップＳ１４３）。１回目であると判別された場合には（ステップＳ１４３で“ＹＥＳ”）、ＣＰＵ４１は、機能指針６４を所定ステップ数りゅうず操作に応じた向きとは反対向きに早送りさせ、その後もとの位置に早送りで戻す振り戻し動作を６４ｐｐｓ（早送り移動速度）で行わせる制御信号を駆動回路４９に出力する（ステップＳ１４４）。そして、ＣＰＵ４１は、指針操作制御処理を終了する。
【００３９】
超過指示要求の検出回数が１回目ではないと判別された場合には（ステップＳ１４３で“ＮＯ”）、ＣＰＵ４１は、超過指示要求の検出回数が直近１秒間で２回目であるか否かを判別する（ステップＳ１４５）。２回目であると判別された場合には（ステップＳ１４５で“ＹＥＳ”）、ＣＰＵ４１は、上述の振り戻し動作を６４ｐｐｓで２回（同一のパターン動作の繰り返し回数）行わせる制御信号を駆動回路４９に出力し（ステップＳ１４６）、指針操作制御処理を終了する。
【００４０】
超過指示要求の検出回数が２回目ではないと判別された場合には（ステップＳ１４５で“ＮＯ”）、ＣＰＵ４１は、超過指示要求の検出回数が直近１秒間で３回目以上であるか否かを判別する（ステップＳ１４７）。３回目以上であると判別された場合には（ステップＳ１４７で“ＹＥＳ”）、ＣＰＵ４１は、上述の振り戻し動作を１２８ｐｐｓで繰り返し行わせる制御信号を駆動回路４９に出力し（ステップＳ１４８）、当該振り戻し動作を継続させたまま指針操作制御処理を終了する。
【００４１】
超過指示要求の検出回数が３回目以上ではないと判別された場合には（ステップＳ１４７で“ＮＯ”）、計数エラーであり、指針操作制御処理を終了する。
【００４２】
このように、指針操作制御処理では、ユーザ操作により機能指針６４の移動可能な角度範囲外に機能指針６４を移動させる要求が入力された場合には、ユーザ操作が不適切である旨を報知する指針動作を当該要求の取得頻度や連続回数に応じた度合で機能指針６４に行わせる。
【００４３】
図５は、高度表示制御処理のステップＳ１０８で呼び出される計測表示制御処理のＣＰＵ４１による制御手順を示すフローチャートである。
【００４４】
計測表示制御処理が開始されると、ＣＰＵ４１は、計測部４８の高度センサによる計測中であるか否かを判別する（ステップＳ１８１）。計測中ではないと判別された場合には（ステップＳ１８１で“ＮＯ”）、ＣＰＵ４１は、計測表示制御処理を終了して、処理を高度表示制御処理に戻す。
【００４５】
計測中であると判別された場合には（ステップＳ１８１で“ＹＥＳ”）、ＣＰＵ４１は、高度センサからセンサ計測値（計測結果に係る情報）を取得する（ステップＳ１８２）。ＣＰＵ４１は、所定の換算テーブルと補正データ４３１とを参照して、計測された値を高度値（表示値）に換算する（ステップＳ１８３）。このとき、ステップＳ１０５の処理で初期値が設定されてから最初の計測値の取得であって、補正データ４３１が更新されていない場合には、設定された初期値をそのまま高度値とすると共に、当該高度値と取得されたセンサ計測値とに応じて補正データ４３１を更新する。
【００４６】
ＣＰＵ４１は、取得された高度値（表示値）が機能指針６４による表示範囲（値域）内にあるか否かを判別する（ステップＳ１８４）。表示範囲内にないと判別された場合には（ステップＳ１８４で“ＮＯ”）、ＣＰＵ４１は、表示範囲からの超過量（逸脱量）を算出し、超過レベルの大小を設定する（ステップＳ１８５）。
【００４７】
ＣＰＵ４１は、設定された超過レベルが大小何れであるかを判別する（ステップＳ１８６）。超過レベルが「小」であると判別された場合には（ステップＳ１８６で「小」）、ＣＰＵ４１は、機能指針６４に予め設定されたパターン１の報知動作を行わせる制御信号を駆動回路４９に出力する（ステップＳ１８７）。パターン１の報知動作としては、例えば、上述の振り戻し動作を６４ｐｐｓで所定ステップ数行わせるなどである。それから、ＣＰＵ４１は、計測表示制御処理を終了する。
【００４８】
超過レベルが「大」であると判別された場合には（ステップＳ１８６で「大」）、ＣＰＵ４１は、機能指針６４に予め設定されたパターン２の報知動作を行わせる制御信号を駆動回路４９に出力する（ステップＳ１８８）。パターン２の報知動作は、パターン１の報知動作よりも顕著な動作であり、振り戻し動作の振幅（移動幅）を大きくしたり、振り戻しの速度（早送り移動速度）を速めたりする。例えば、上記ステップＳ１８７で実行される振り戻し動作のステップ数を倍として、１２８ｐｐｓで行わせることが出来る。それから、ＣＰＵ４１は、計測表示制御処理を終了する。
【００４９】
ステップＳ１８４の判別処理で、高度値が機能指針６４の表示範囲内であると判別された場合には（ステップＳ１８４で“ＹＥＳ”）、ＣＰＵ４１は、得られた高度値に応じて機能指針６４の指し示す位置を決定し（ステップＳ１９１）、機能指針６４を当該指し示す位置に早送り移動させる制御信号を駆動回路４９に出力する（ステップＳ１９２）。それから、ＣＰＵ４１は、計測表示制御処理を終了する。
【００５０】
図６は、計測表示制御処理で行われる報知動作の例を示す図である。
図６（ａ）に示すように、計測値が表示範囲の右端に対応する値を僅かに超過するパターン１の場合には、機能指針６４は、当該右端位置から所定ステップ数逆転早送りさせた後に右端位置へ戻す振り戻し動作が行われる。
図６（ｂ）に示すように、計測値が表示範囲の右端位置に対応する値を更に大きく超過してパターン２に該当した場合には、機能指針６４は、右端位置から図６（ａ）で示した場合よりも多いステップ数逆転早送りさせた後に右端位置へ戻す振り戻し動作が行われる。
【００５１】
ここで、アナログ電子時計１において、ユーザ操作により計測値の表示範囲の値域を所定のステップで変更可能な場合、変更すべき値域の設定と報知動作のパターンとを対応付けることが出来る。例えば、ＣＰＵ４１は、値域を２倍に設定すれば現在の計測値が表示可能となる場合には、パターン１の報知動作を行わせ、値域を２倍以上、例えば、１０倍に設定する必要がある場合には、パターン２の報知動作を行わせることが出来る。
【００５２】
また、値域の変更動作は、例えば、押しボタンスイッチ４７２、４７３の所定の押下操作により変更モードに移行して、りゅうず４７１の回転により予め設定された複数の値域の中から選択することで行われる。このとき、選択される値域に係る情報は、例えば、秒針６３を用いて一時的に表示させたり、機能指針６４自身に示させたりすることが出来る。
【００５３】
以上のように、本実施形態のアナログ電子時計１は、円周の一部の角度範囲でのみ回動可能に設けられた機能指針６４と、当該機能指針６４の動作に係る情報を取得し、当該情報に基づいて定められる機能指針６４の移動先が機能指針６４の移動可能角度範囲外となる場合には、この機能指針６４に所定の報知動作を行わせるＣＰＵ４１と、を備える。
このように、ユーザが機能指針６４の移動可能角度範囲外へ移動し続けさせた場合や、計測データなどに基づく表示値がレンジからはみ出る場合などに、単に機能指針６４を振り切らせたままにしておくだけではなく、振り戻しなどの動作を行わせることで、ユーザに機能指針６４の可動範囲からの超過を知得させることが出来る。これにより、ユーザが速やかに対応し、無効な操作を中止したり切り替えたりすることが出来る。
【００５４】
また、機能指針６４自身に報知動作を行わせるので、ユーザが見落とす可能性を減らすと共に、ユーザが感覚的に報知動作の意図を理解しやすい。また、レンジ超過を示す標識を別途設けて表示させる場合よりも、ユーザが動作を認識しやすく、且つ当該標識のために移動可能範囲の一部を割いて通常の表示範囲を縮小する必要が無い。
【００５５】
また、ＣＰＵ４１は、報知動作において、取得された情報に応じた機能指針６４の移動により当該機能指針６４の移動可能角度範囲から外れる側の端位置を示す動作をこの機能指針６４に行わせるので、ユーザにどのような対応を行わせれば良いかより明確に示すことが出来る。
【００５６】
また、ＣＰＵ４１は、報知動作の終了後に、情報に応じた機能指針６４の移動により当該機能指針６４の移動可能角度範囲から外れる側の端位置でこの機能指針６４を停止させるので、移動可能角度範囲から外れた側をユーザがより認識しやすい。また、繰り返し報知動作を行う場合に、不要な指針動作を減らしやすい。また、ユーザが報知動作を見逃した場合でも、通常と同様に移動可能角度範囲の端まで振り切れた状態であることを認識することが出来る。
【００５７】
また、報知動作には、機能指針６４の移動可能角度範囲から外れる側の端位置から当該移動可能角度範囲の内側に向けて所定ステップ数機能指針６４を早送り移動させた後に、当該機能指針６４を端位置に早送りで戻す振り戻し動作を含む。従って、容易且つ明確に機能指針６４が移動可能角度範囲外に移動させる要求が取得されている状況及び移動の方向が示される。また、同一の端部を報知動作の開始及び終点とするので、動作の無駄がなく、且つユーザにとって分かりやすい。また、シンプルな動作であり、複雑な制御を必要とせず、且つ報知動作の大きさ（報知量）に応じて変更させやすい。
【００５８】
また、ユーザの操作を受け付ける操作部４７を備え、ＣＰＵ４１は、機能指針６４を移動可能角度範囲外へ移動させる要求に係る操作の受け付け情報が取得された場合に、報知動作を機能指針６４に行わせる。従って、ユーザの操作が受け付けられた上で指針動作に問題があるのか、操作自体が受け付けられていないのかをユーザが容易に判別し、適切な操作に切り替えたり、操作を中止したりすることが出来る。
【００５９】
また、ＣＰＵ４１は、移動可能角度範囲外への移動要求に係る操作の受け付け情報の取得頻度及び連続回数のうち少なくとも一方に応じて報知動作における報知量を定める。
従って、ユーザが一度の操作で気づくような場合に不要に大規模な報知動作を行わせる必要がなく、ユーザが気づかずに無効な操作を続けているような場合などには、よりユーザが分かりやすいように大規模な報知動作を行わせることが出来る。
【００６０】
また、所定の物理量を計測する計測部４８を備え、ＣＰＵ４１は、計測部４８による計測値に基づく表示値に応じて定められる指針位置に機能指針６４を移動させ、当該機能指針６４の移動可能角度範囲に応じた値域から表示値が逸脱する場合には、当該逸脱を示す報知動作を機能指針６４に行わせる。従って、ユーザは、計測動作の表示の際に、計測が実行され、且つ表示値が表示可能な値域内にないことを容易に知得し、表示の値域を変更させたり計測を中止させたりすることが出来る。
【００６１】
また、ＣＰＵ４１は、機能指針６４により表示可能な値域からの表示値の逸脱量に応じて報知動作における報知量を定めるので、どの程度値域からはみ出ているのかを容易に知得することが出来る。従って、値域の変更時の変更幅をより容易に定めることが出来る。また、具体的な表示値を知得する必要が無い場合には、当該報知量の情報だけで表示値を概算して知得することが出来る。
【００６２】
また、報知動作を行う際の報知量は、報知動作、ここでは、振り戻し動作における機能指針６４の移動幅、機能指針６４の早送り移動速度、及び当該振り戻し動作の繰り返し回数の少なくとも一部によって定められる。従って、単純な制御でユーザに分かりやすく、表示可能な値域の上限又は下限からの逸脱量をユーザが知得することが出来る。
【００６３】
なお、本発明は、上記実施の形態に限られるものではなく、様々な変更が可能である。
例えば、上記実施の形態では、移動可能な角度範囲からはみ出る側での振り戻し動作により報知動作を行ったが、報知動作は、他のものであっても良い。例えば、移動可能範囲の中央付近ではみ出る側を指し示すように移動させる動作などを行わせても良い。また、はみ出る側に依らず、常に一方の端位置の側で報知動作を行わせても良いし、機能指針６４の現在位置に応じてより近い端位置の側で報知動作を行わせても良い。
【００６４】
また、報知動作は、報知量を変更可能なものでなくても良く、一律に同一の動作が行われても良い。
【００６５】
また、上記実施形態では、ユーザ操作に基づく指針動作に応じた報知動作及び計測部４８による計測値に基づく指針動作に応じた報知動作を例に挙げて説明したが、これに限られない。例えば、外部から電話の着信情報を取得して着信回数を表示する場合などに、着信回数が表示範囲を超過した状態で新たな着信情報が取得されたときに当該報知動作を行わせることで、新たな着信が有ったことをユーザに報知することが出来る。
【００６６】
また、上記実施の形態では、１２時側１８０度の範囲往復動作可能な機能指針６４を例に挙げて説明したが、他の角度範囲であっても良く、このような指針が複数設けられていても良い。
【００６７】
また、アナログ電子時計１は、腕時計に限られず、他の携帯時計や置時計などであっても良い。
また、上記実施の形態では、機能指針６４は、日時を表示する指針とは別個に設けられた指針としたが、日時の表示を行わせる指針の一部又は全部がこのように移動可能範囲の限られた指針であっても良い。また、機能指針６４が設けられていれば、日時の表示がデジタル表示で行われる電子時計であっても良く、また、時刻指針６１〜６３及び機能指針６４の他の指針やデジタル表示部が設けられた電子時計であっても良い。
その他、上記実施の形態で示した具体的な構成、動作の内容や手順などは、本発明の趣旨を逸脱しない範囲において適宜変更可能である。
【００６８】
本発明のいくつかの実施形態を説明したが、本発明の範囲は、上述の実施の形態に限定されるものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００６９】
［付記］
＜請求項１＞
円周の一部の角度範囲でのみ回動可能に設けられた往復指針と、
当該往復指針の動作に係る情報を取得し、当該情報に基づいて定められる前記往復指針の移動先が前記角度範囲外となる場合には、前記往復指針に所定の報知動作を行わせる動作制御手段と、
を備えることを特徴とする電子時計。
＜請求項２＞
前記動作制御手段は、前記報知動作において、前記情報に応じた前記往復指針の移動により前記角度範囲から外れる側の端位置を示す動作を前記往復指針に行わせることを特徴とする請求項１記載の電子時計。
＜請求項３＞
前記動作制御手段は、前記報知動作の終了後に、前記情報に応じた前記往復指針の移動により前記角度範囲から外れる側の端位置で前記往復指針を停止させることを特徴とする請求項１又は２記載の電子時計。
＜請求項４＞
前記報知動作には、前記角度範囲から外れる側の前記端位置から当該角度範囲の内側に所定ステップ数前記往復指針を早送り移動させた後に、当該往復指針を前記端位置に早送りで戻す振り戻し動作を含むことを特徴とする請求項２又は３記載の電子時計。
＜請求項５＞
ユーザの操作を受け付ける操作受付手段を備え、
前記動作制御手段は、前記往復指針を前記角度範囲外へ移動させる要求に係る操作の受け付け情報が取得された場合には、前記報知動作を前記往復指針に行わせる
ことを特徴とする請求項１〜４の何れか一項に記載の電子時計。
＜請求項６＞
前記動作制御手段は、前記受け付け情報の取得頻度及び連続回数のうち少なくとも一方に応じて前記報知動作における報知量を定めることを特徴とする請求項５記載の電子時計。
＜請求項７＞
所定の物理量を計測する計測手段を備え、
前記動作制御手段は、前記計測手段による計測結果に係る情報に基づく表示値に応じて定められる指針位置に前記往復指針を移動させ、前記角度範囲に応じた値域から前記表示値が逸脱する場合には、前記報知動作を前記往復指針に行わせる
ことを特徴とする請求項１〜６の何れか一項に記載の電子時計。
＜請求項８＞
前記動作制御手段は、前記表示値の前記値域からの逸脱量に応じて前記報知動作における報知量を定めることを特徴とする請求項７記載の電子時計。
＜請求項９＞
前記報知量は、前記報知動作における前記往復指針の移動幅、前記往復指針の早送り移動速度、及び所定のパターン動作の繰り返し回数の少なくとも一部によって定められる
ことを特徴とする請求項６又は８記載の電子時計。
【符号の説明】
【００７０】
１     アナログ電子時計
２     ケーシング
３     文字盤
４     小窓
４１   ＣＰＵ
４２   ＲＯＭ
４２１ プログラム
４３   ＲＡＭ
４３１ 補正データ
４４   発振回路
４５   分周回路
４６   計時回路
４７   操作部
４７１  りゅうず
４７２〜４７４       押しボタンスイッチ
４８   計測部
４９   駆動回路
５０   電源部
６１   時針
６２   分針
６３   秒針
６４   機能指針
７１〜７３    輪列機構
８１〜８３    ステッピングモータ
【図１】
0006661930.tif 000002
【図２】
0006661930.tif 000003
【図３】
0006661930.tif 000004
【図４】
0006661930.tif 000005
【図５】
0006661930.tif 000006
【図６】
0006661930.tif 000007